(57)【特許請求の範囲】
【請求項１】
湯溜め可能な入浴空間の構成された浴槽本体と、
湯溜め可能な小空間が構成され、前記入浴空間の上部片側に配置され、前記入浴空間と連通され開閉可能な連通口の構成された小浴槽と、
前記浴槽本体の上端部に設けられ、前記入浴空間の外周方向へ延出されたフランジ部と、
前記小浴槽の上端部の３辺に形成された上フランジ部の端部に設けられ、前記上フランジ部が前記フランジ部の３辺と重なり合った状態で前記上フランジ部から回動可能に前記入浴空間の外周方向へ延出して前記フランジ部の上面に接触するフランジ部上面接触部と前記フランジ部上面接触部と一体に形成され前記フランジ部の下端面に接触して係合する下端面接触部を備え、前記フランジ部上面接触部と前記下端面接触部とで前記フランジ部を挟持する係合部と、
を備えた浴槽ユニット。
【請求項２】
前記小浴槽の上端には、前記浴槽本体の外周高さよりも低い上端辺を構成する切欠が構成されていること、を特徴とする請求項１に記載の浴槽ユニット。
【発明の詳細な説明】
【技術分野】
【０００１】
本発明は、入浴に用いられる浴槽を備えた浴槽ユニットに関する。
【背景技術】
【０００２】
入浴に用いられる浴槽ユニットとして、従来から様々な形態が提案されており、節水のための技術として、特許文献１に記載の節水型浴用補助具が提案されている。特許文献１の節水型浴用補助具は、浴槽内に沈めて使用することにより、節水できるというものである。
【０００３】
しかしながら、特許文献１に記載の節水型浴用補助具は、単に浴槽に沈めて浴槽内の水の体積を減少させようというものである。したがって、同じ湯量で浴槽ＢＨに体格の異なる利用者が入浴した場合、図９に示すように、体格の小さい利用者Ｓ用に湯量を設定すると、体格の大きな利用者Ｂが入浴した際に湯が溢れてしまい、図１０に示すように、体格の大きい利用者用Ｂに湯量を設定すると、体格の小さな利用者Ｓが入浴した際に、水位が充分高くならないということが生じる。
【先行技術文献】
【特許文献】
【０００４】
【特許文献１】特開２００８−１９４４１５号公報
【発明の概要】
【発明が解決しようとする課題】
【０００５】
本発明は、上記事実を考慮し、利用者の体格に応じて湯の水位を調整可能な浴槽ユニットを得ることを目的とする。
【課題を解決するための手段】
【０００６】
請求項１に記載の浴槽ユニットは、湯溜め可能な入浴空間の構成された浴槽本体と、湯溜め可能な小空間が構成され、前記入浴空間の上部片側に配置され、前記入浴空間と連通され開閉可能な連通口の構成された小浴槽と、前記浴槽本体の上端部に設けられ、前記入浴空間の外周方向へ延出されたフランジ部と、前記小浴槽の上端部の３辺に形成された上フランジ部の端部に設けられ、前記上フランジ部が前記フランジ部の３辺と重なり合った状態で前記上フランジ部から回動可能に前記入浴空間の外周方向へ延出して前記フランジ部の上面に接触するフランジ部上面接触部と前記フランジ部上面接触部と一体に形成され前記フランジ部の下端面に接触して係合する下端面接触部を備え、前記フランジ部上面接触部と前記下端面接触部とで前記フランジ部を挟持する係合部と、を有する。
【０００９】
本発明の浴槽ユニットでは、浴槽本体の入浴空間の上部片側に小浴槽が配置されるので、入浴空間の一部が小空間で占められる。したがって、連通口を閉鎖した状態で使用した場合には、小空間へ入浴空間内のお湯が流入しないので、小浴槽が配置されていない場合と比較して入浴空間の上部の水平方向の断面積が小さくなり、浴槽本体の入浴空間内の湯量が少なくても、湯の水位を高くすることができる。また、連通口を開放した状態で使用した場合には、小空間へ入浴空間内のお湯が流入可能なので、小浴槽が配置されていない場合と略同等の入浴空間の水平方向の断面積を確保でき、湯の水位を低く維持することができる。
【００１０】
したがって、体格が小さい利用者が入浴する場合には、連通口を閉鎖することにより入浴空間の上部水平方向の断面積を小さくして湯の水位を上げることで、利用者が満足できる水位を確保することができる。また、同等の湯量で体格の大きい利用者が入浴する場合には、連通口を開放することにより、湯を小空間へ流入させて、入浴空間内の湯が溢れ出ることを防止することができる。
なお、小浴槽の上端に浴槽本体の上端よりも低く浴槽本体から湯の流入が可能となる部分を構成しておけば、連通口を開放しなくても、浴槽本体から小浴槽へ湯を流入させることができる。
【００１２】
また、小浴槽を浴槽本体の上端部に形成されたフランジ部に係合させて、小浴槽を入浴空間の上部片側に配置することができる。
【００１３】
請求項２に記載の浴槽ユニットは、前記小浴槽の上端に、前記浴槽本体の外周高さより
も低い上端辺を構成する切欠が構成されていること、を特徴とする。
【００１４】
このように、小浴槽の上端に切欠を構成して、入浴空間の湯が外へ溢れる前に小空間側へ流入させることができる。
【発明の効果】
【００１５】
本発明は上記構成としたので、連通口の開閉によって、利用者の体格に応じて湯の水位を調整することができる。
【図面の簡単な説明】
【００１６】
【図１】本発明の一実施形態に係る浴槽ユニットの浴槽本体と小浴槽を別々に示す斜視図である。
【図２】本発明の一実施形態に係る浴槽ユニットの浴槽本体へ小浴槽が設置された状態の斜視図である。
【図３】本発明の一実施形態に係る浴槽ユニットの短手方向の断面図である。
【図４】本発明の一実施形態に係る浴槽ユニットの長手方向の断面図である。
【図５】本発明の一実施形態に係る浴槽ユニットへ体格の小さい利用者が入浴している状態を示す図である。
【図６】本発明の一実施形態に係る浴槽ユニットへ体格が中位の利用者が入浴している状態を示す図である。
【図７】本発明の一実施形態に係る浴槽ユニットへ体格の大きい利用者が入浴している状態を示す図である。
【図８】本発明の一実施形態に係る浴槽ユニットの他の利用例を示す図である。
【図９】従来の浴槽ユニットの利用例を示す図である。
【図１０】従来の浴槽ユニットの利用例を示す図である。
【発明を実施するための形態】
【００１７】
図１及び図２には、本発明の実施形態に浴槽ユニット１０が示されている。浴槽ユニット１０は、浴槽本体１２と小浴槽２０を備えている。
【００１８】
浴槽本体１２は、底部１４、側部１６、及び、フランジ部１８を有している。底部１４は浴槽本体１２の底面を構成し、側部１６は浴槽本体１２の側面を構成している。底部１４及び側部１６に囲まれた内側に、湯溜め可能な入浴空間Ｒ１が構成されている。フランジ部１８は、側部１６の上端部に全周に形成されており、入浴空間Ｒ１の外周方向へ延出されている。
【００１９】
小浴槽２０は、底部２４、側部２６、上フランジ部２８、及び、係合部２９を有している。底部２４は小浴槽２０の底面を構成し、側部２６は小浴槽２０の側面を構成している。底部２４及び側部２６に囲まれた内側に、湯溜め可能な小空間Ｒ２が構成されている。上フランジ部２８は、側部２６の上端部の３辺に形成されており、小空間Ｒ２の外周方向へ延出されている。上フランジ部２８の互いに平行に配置される両辺の外側には、係合部２９が設けられている。係合部２９は、図３に示すように、浴槽本体１２の長手方向からみてコ字状とされ、上フランジ部２８に沿った軸周りに回動可能とされている。係合部２９は、上フランジ部２８の上面からフランジ部１８の外端面を覆って下面と係合可能とされている。底部２４には、連通口２２が構成されており、栓２２Ａで開閉可能とされている。側部２６の上フランジ部２８が形成されていない面の上端辺２６Ａは、他の側部２６よりも低く、切欠２０Ａが構成されている。切欠２０Ａは、側部２６の上端辺２６Ａの高さが浴槽本体１２の側部１６の高さよりも低くなるように構成されており、上端辺２６Ａの高さを超えた入浴空間Ｒ１側の湯は、小空間Ｒ２側に流入するようになっている。
【００２０】
入浴空間Ｒ１の底面は略長方形状とされており、短手方向のサイズがＡ１、長手方向のサイズがＢ１とされている。また、入浴空間Ｒ１の深さは、Ｄ１とされている。
【００２１】
小空間Ｒ２の底面は略長方形状とされており、入浴空間Ｒ１の長手方向に対応する方向のサイズがＢ２、入浴空間Ｒ１のも短手方向に対応するサイズがＡ２とされている。また、小空間Ｒ２の深さは、Ｄ２とされている。
【００２２】
ここで、Ｄ１＞Ｄ２であり、Ｄ１とＤ２の差分（Ｄ１−Ｄ２）は、入浴者の下半身を十分に収容できる長さとなっている。また、Ａ１とＡ２は、ほぼ等しく、小浴槽２０の長手方向を浴槽本体１２の短手方向と平行にして、上フランジ部２８を浴槽本体１２の短手方向に架け渡せるようになっている。さらに、Ｂ１＞Ｂ２であり、Ｂ１とＢ２の差分（Ｂ１−Ｂ２）は、入浴者が浴槽本体１２に余裕をもって入れ、上半身を十分に収容できるサイズとなっている。
【００２３】
小浴槽２０は、上フランジ部２８を浴槽本体１２のフランジ部１８上に重ねつつ係合部２９をフランジ部１８に係合させて、底部２４及び側部２６を浴槽本体１２の入浴空間Ｒ１内に入れ、小空間Ｒ２を入浴空間Ｒ１の上部片側に配置させることができる。小浴槽２０をこのように配置すると、入浴空間Ｒ１は、図４に示すように、側方からみて、小浴槽２０の下側の空間（下空間Ｒ３）と、小浴槽２０と側方に隣り合って上部が開放されている空間（上部開放空間Ｒ４）で構成されたＬ字状の空間に仕切られる。
【００２４】
次に、浴槽ユニット１０の利用について説明する。
【００２５】
浴槽ユニット１０を使用する際には、浴槽本体１２に小浴槽２０を重ね、上フランジ部２８を浴槽本体１２のフランジ部１８上に配置し、係合部２９を係合させる（図２参照）。そして、栓２２Ａを連通口２２に嵌め込んで、連通口２２を閉鎖しておく。
【００２６】
この状態で、入浴空間Ｒ１に、所定量のお湯を入れる。このときの湯量を、例えば、複数の利用者のうちで最も体格の大きい利用者が小浴槽２０なしの浴槽本体１２で入浴する場合に、お湯を溢れさせることなく肩まで浸かることの可能な湯量とする。このときの水位をＬ１（図４参照）とする。
【００２７】
体格の小さい利用者が入浴する際には、栓２２Ａで連通口２２を閉鎖した状態で入浴する。利用者は、下空間Ｒ３に脚を入れて入浴する。すると、図５に示すように、お湯は水位Ｌ１から、上部開放空間Ｒ４側のみで上昇し、水位Ｌ２となる。上部開放空間Ｒ４の水平方向の断面積は、入浴空間Ｒ１の水平方向の断面積よりも小さいので、少ない湯量で水位を高くすることができる。したがって、少ない湯量で、体格の小さい利用者の肩までの水位（水位Ｌ２）を得ることができる。
【００２８】
体格が中位の利用者が入浴する際にも、栓２２Ａで連通口２２を閉鎖した状態で入浴する。利用者は、下空間Ｒ３に脚を入れて入浴する。すると、図６に示すように、お湯は水位Ｌ１から、上部開放空間Ｒ４側のみで上昇し、小浴槽２０の上端辺２６Ａまで達すると、小空間Ｒ２へ流入し、水位Ｌ３で維持される。上部開放空間Ｒ４の水平方向の断面積は、入浴空間Ｒ１の水平方向の断面積よりも小さいので、少ない湯量で水位が高くなるが、切欠２０Ａが構成されていることにより、湯が浴槽本体１２外に溢れることを防止することができる。
【００２９】
体格の大きい利用者が入浴する際には、栓２２Ａを抜いて連通口２２を開放した状態で入浴する。利用者は、下空間Ｒ３に脚を入れて入浴する。すると、図７に示すように、お湯は水位Ｌ１から、上部開放空間Ｒ４及び小空間Ｒ２で上昇し、水位Ｌ４となる。この場合には、お湯は連通口２２を流通できるので、上部開放空間Ｒ４だけでなく小空間Ｒ２へも移動するからである。上部開放空間Ｒ４及び小空間Ｒ２の合計の水平方向の断面積は、入浴空間Ｒ１の水平方向の断面積と略同じであるので、体格の大きい利用者が入った場合でも、急激な水位の上昇を抑制して、お湯を浴槽本体１２外に溢れさせることなく利用者の肩までの水位（水位Ｌ４）を維持することができる。
【００３０】
このように、本発明の浴槽ユニット１０によれば、体格が小さい利用者が入浴する場合には、連通口２２を閉鎖することにより入浴空間の上部水平方向の断面積を容積を小さくして湯の水位を上げることで、利用者が満足できる水位を確保することができる。
【００３１】
また、体格が中位の利用者が入浴する場合には、連通口２２を閉鎖することにより入浴空間の上部水平方向の断面積を容積を小さくして湯の水位を上げると共に、切欠２０Ａから湯を小空間Ｒ２へ流出させることにより、利用者が満足できる水位を確保することができる。
【００３２】
さらに、同等の湯量で体格の大きい利用者が入浴する場合には、連通口２２を開放することにより、湯を最初から小空間Ｒ２へ流入させて、入浴空間Ｒ１内の湯が溢れ出ることを防止することができる。
【００３３】
また、本実施形態の浴槽ユニット１０では、小浴槽２０が入浴空間Ｒ１の上部の片側を覆っているので、湯冷めし難いという効果も得ることができる。
【００３４】
なお、本実施形態の小浴槽２０は、図８に示すように、栓２２Ａを嵌め込んだ状態で、浴槽本体１２とは別に用いることもできる。この場合の用法としては、湯の温度を浴槽本体１２側の湯の温度とは変えて、子供、ペットの入浴に用いる用法が可能である。また、水栓から適温の湯が出てくる前の水を溜めて、別途利用することも可能である。
【符号の説明】
【００３５】
１０   浴槽ユニット
１２   浴槽本体
１８   フランジ部
２０   小浴槽
２０Ａ 切欠
２２Ａ 栓
２２   連通口
２６Ａ 上端辺
２８   上フランジ部
２９   係合部
Ｒ１   入浴空間
Ｒ２   小空間
【図１】
0005865576.tif 000002
【図２】
0005865576.tif 000003
【図３】
0005865576.tif 000004
【図４】
0005865576.tif 000005
【図５】
0005865576.tif 000006
【図６】
0005865576.tif 000007
【図７】
0005865576.tif 000008
【図８】
0005865576.tif 000009
【図９】
0005865576.tif 000010
【図１０】
0005865576.tif 000011